(57)【要約】【課題】本発明は、極めて商品価値の高い画期的な水槽内観賞用ミラー及び照明器具を提供することを目的とする。【解決手段】水槽20の上部に設けられる照明器具21に取り付ける水槽内観賞用ミラーであって、鏡面部１と、前記照明器具21に着脱自在に取り付けられる取付部２とを有し、この取付部２により前記照明器具21に取り付けた際、前記鏡面部１が前記照明器具21の下方部位において前記水槽20内が視認できる傾斜状態に配されるように構成されたものである。【選択図】図２
2016101150.tif 000002
【特許請求の範囲】
【請求項１】
水槽の上部に設けられる照明器具に取り付ける水槽内観賞用ミラーであって、鏡面部と、前記照明器具に着脱自在に取り付けられる取付部とを有し、この取付部により前記照明器具に取り付けた際、前記鏡面部が前記照明器具の下方部位において前記水槽内が視認できる傾斜状態に配されるように構成されていることを特徴とする水槽内観賞用ミラー。
【請求項２】
請求項１記載の水槽内観賞用ミラーにおいて、前記鏡面部は、前記照明器具の下方部位において、前記水槽内の水面に対して４５度程度の傾斜状態に配されるように構成されていることを特徴とする水槽内観賞用ミラー。
【請求項３】
請求項１，２いずれか１項に記載の水槽内観賞用ミラーにおいて、前記取付部は、前記照明器具に着脱自在に引っ掛け係止する鉤状体であることを特徴とする水槽内観賞用ミラー。
【請求項４】
請求項１〜３いずれか１項に記載の水槽内観賞用ミラーにおいて、板状部材の端部を折り曲げ形成して前記取付部とし、前記板状部材の表面に鏡面部材を貼り着して前記鏡面部を構成したことを特徴とする水槽内観賞用ミラー。
【請求項５】
水槽の上部に設けられる照明器具であって、請求項１〜４いずれか１項に記載の水槽内観賞用ミラーを具備したことを特徴とする照明器具。
【発明の詳細な説明】
【技術分野】
【０００１】
本発明は、水槽内観賞用ミラー及び照明器具に関するものである。
【背景技術】
【０００２】
本出願人は、水草や魚を育成する水槽用の照明器具として意匠登録第１４６４４４４号公報及び意匠登録第１４６９７８１号公報に開示される照明器具を提案している。
【０００３】
この照明器具21は、水槽の上部に配される本体部と、この本体部の左右に設けられ水槽の左右上縁に係止される左右脚部とで構成され、本体部には発光部が設けられている。また、発光部は、本体部に形成した窓部に設けられた金属製の板体の下面部に、多数のＬＥＤを設けたものである。尚、このＬＥＤは透明樹脂製の覆い板で覆われている。
【先行技術文献】
【特許文献】
【０００４】
【特許文献１】意匠登録第１４６４４４４号公報
【特許文献２】意匠登録第１４６９７８１号公報
【発明の概要】
【発明が解決しようとする課題】
【０００５】
ところで、照明器具は、水槽内を明るく照らす目的から、水槽の上部開口部を覆うように配設されるが、この照明器具により水槽内における上方からのレイアウトが見えにくいという問題点がある。
【０００６】
本発明者は、前述した問題点に着目し、極めて商品価値の高い画期的な水槽内観賞用ミラー及び照明器具を開発した。
【課題を解決するための手段】
【０００７】
添付図面を参照して本発明の要旨を説明する。
【０００８】
水槽20の上部に設けられる照明器具21に取り付ける水槽内観賞用ミラーであって、鏡面部１と、前記照明器具21に着脱自在に取り付けられる取付部２とを有し、この取付部２により前記照明器具21に取り付けた際、前記鏡面部１が前記照明器具21の下方部位において前記水槽20内が視認できる傾斜状態に配されるように構成されていることを特徴とする水槽内観賞用ミラーに係るものである。
【０００９】
また、請求項１記載の水槽内観賞用ミラーにおいて、前記鏡面部１は、前記照明器具21の下方部位において、前記水槽20内の水面に対して４５度程度の傾斜状態に配されるように構成されていることを特徴とする水槽内観賞用ミラーに係るものである。
【００１０】
また、請求項１，２いずれか１項に記載の水槽内観賞用ミラーにおいて、前記取付部２は、前記照明器具21に着脱自在に引っ掛け係止する鉤状体であることを特徴とする水槽内観賞用ミラーに係るものである。
【００１１】
また、請求項１〜３いずれか１項に記載の水槽内観賞用ミラーにおいて、板状部材４の端部を折り曲げ形成して前記取付部２とし、前記板状部材４の表面に鏡面部材５を貼り着して前記鏡面部１を構成したことを特徴とする水槽内観賞用ミラーに係るものである。
【００１２】
また、水槽20の上部に設けられる照明器具21であって、請求項１〜４いずれか１項に記載の水槽内観賞用ミラーを具備したことを特徴とする照明器具に係るものである。
【発明の効果】
【００１３】
本発明は上述のように構成したから、水槽内における上方からのレイアウトを水槽の正面から見ることができ、従来にない水槽の観賞スタイルを提供することができるなど、極めて商品価値の高い画期的な水槽内観賞用ミラー及び照明器具となる。
【図面の簡単な説明】
【００１４】
【図１】本実施例の使用状態説明図である。
【図２】本実施例を説明する斜視図である。
【図３】本実施例の使用状態説明図である。
【図４】本実施例を示す正面図である。
【図５】図４のＡ−Ａ断面図である。
【図６】本実施例を示す斜視図である。
【図７】本実施例の要部の説明図である。
【図８】本実施例の要部の説明図である。
【発明を実施するための形態】
【００１５】
好適と考える本発明の実施形態を、図面に基づいて本発明の作用を示して簡単に説明する。
【００１６】
本発明は、取付部２により照明器具21に取り付けると、鏡面部１が照明器具21の下方部位において前記水槽20内が視認できる傾斜状態に配される。
【００１７】
この状態で照明器具21を水槽20の上部に設けると、鏡面部１は水面の上方位置において傾斜状態に配され、水槽20の正面側から鏡面部１を見ると、水槽20内を上方から見た状態が反射により観賞できる。
【００１８】
従って、従来見えにくかった水槽20内における上方からのレイアウトを水槽20の正面から見ることができ、従来にない水槽20の観賞スタイルを提供することができる。
【実施例】
【００１９】
本発明の具体的な実施例について図面に基づいて説明する。
【００２０】
本実施例は、水槽20の上部に設けられる照明器具21に取り付ける水槽内観賞用ミラーであって、鏡面部１と、照明器具21に着脱自在に取り付けられる取付部２とを有するものである。
【００２１】
具体的には、本実施例に係る水槽内観賞用ミラーは、図２〜６に図示したように適宜な金属製の部材（ステンレス）で横長長方形状の板状部材４を設け、この板状部材４は一側の長辺端部に突片部４ａが設けられ、この突片部４ａを折り曲げ形成して取付部２とするとともに、板状部材４の表面に鏡面部材５を貼り着して鏡面部１を構成したものである。
【００２２】
また、取付部２は、図５に図示したように断面視コ字状であり、後述する照明器具21の被係止部22ｂ（桟部材）に着脱自在に引っ掛け係止する鉤状体として設けられている。
【００２３】
また、取付部２は、照明器具21に取り付けた際、鏡面部１が照明器具21の下方部位において傾斜状態（４５度程度）に配され、この傾斜角度Ｒは取付部２を折り曲げ形成する際に適宜調整されている。
【００２４】
また、鏡面部１の左右方向の長さは水槽20の巾に対応した長さに設定され、上下方向の長さ（巾）は後述する照明器具21の脚部23の高さに対応した長さに設定される。
【００２５】
本実施例で使用する照明器具21は、図１，２に図示したように水槽20の上部に配される本体部22と、この本体部22の左右に垂設され水槽20の左右上縁に係止立設される左右脚部23とで構成され、本体部22には発光部24が設けられている。
【００２６】
この本体部21及び脚部23は光を透過する合成樹脂（アクリル樹）製であり、表面にサンドブラストが施され、曇りガラスのように半透明状態に設けられている。
【００２７】
本体部22は、中央位置に窓部22ａが設けられ、この窓部22ａを構成する桟部材が取付部２を引っ掛け係止する被係止部22ｂとして構成されている。
【００２８】
脚部23は、本体部22（桟部材22ｂ）に取付部２を取り付けた際、水槽20の正面から見た際に鏡面部１が看取できる高さに設定されている。即ち、この脚部23の高さを考慮して鏡面部１の巾も設定される。
【００２９】
発光部24は、図１〜３に図示したように本体部22に形成した窓部22ａに取り外し自在に配設される金属製の板体24ａの下面部に、多数のＬＥＤ24ｂを設けたものである。このＬＥＤは透明樹脂製の光照射板24ｃで覆われている。尚、この各ＬＥＤは側方に突設された電気コード25を介して電気が供給され発光する。
【００３０】
また、発光部24の光照射板24ｃは、図８に図示したように本体部22に配設した際、窓部22ａの下面よりも上方位置に位置するように構成されており、この発光部24から発光される光は、水槽20内に照射されるのは勿論、本体部22内を通過して該本体部22の周面からも周囲に照射されることになる。
【００３１】
本実施例は上述のように構成したから、取付部２により照明器具21に取り付けると、鏡面部１が照明器具21の下方部位において水槽20内が視認できる傾斜状態に配される。
【００３２】
この状態で照明器具21を水槽20の上部に載置すると、鏡面部１は水面の上方位置において傾斜状態に配され、水槽20の正面側から鏡面部１を見ると、水槽20内を上方から見た状態が反射により観賞できる。
【００３３】
よって、本実施例によれば、水槽20内における上方からのレイアウトを水槽20の正面から見ることができ、従来にない水槽20の観賞スタイルを提供することができる。
【００３４】
また、本実施例は、鏡面部１における反射により水槽20内の照度のアップが達成される。本出願人が実際に試したところ約１０％照度のアップが確認された。
【００３５】
また、本実施例は、取付部２は、照明器具21の下面部にて水平に対して約４５度の傾斜状態に配されるように構成されているから、確実に水槽20の正面から該水槽20内を反射により観賞することができる。
【００３６】
また、本実施例は、取付部２は、照明器具21に着脱自在に引っ掛け係止する鉤状体であるから、取付が簡易且つ確実に行えることになる。
【００３７】
また、本実施例は、板状部材４の端部を折り曲げ形成して取付部２とし、板状部材４の表面に鏡面部材５を貼り着して鏡面部１を構成したから、簡易構造故にコスト安にして量産性に秀れることになる。
【００３８】
尚、本発明は、本実施例に限られるものではなく、各構成要件の具体的構成は適宜設計し得るものである。
【符号の説明】
【００３９】
１  鏡面部
２  取付部
４  板状部材
５  鏡面部材
【図１】
2016101150.tif 000003
【図２】
2016101150.tif 000004
【図３】
2016101150.tif 000005
【図４】
2016101150.tif 000006
【図５】
2016101150.tif 000007
【図６】
2016101150.tif 000008
【図７】
2016101150.tif 000009
【図８】
2016101150.tif 000010